(57)【要約】【課題】  サーバのアクセス先が予め分かっていなくても、携帯情報機器からサーバを介してパブリックプリンタへ印刷指示する技術を提供することを課題とする。【解決手段】  携帯情報機器（１）から印刷要求を受信する受信手段と、印刷要求を受信するとサーバ（３）のアドレス情報を携帯情報機器へ送信する送信手段と、携帯情報機器からサーバを介して印刷データを受信して印刷処理する印刷手段とを有する印刷装置（２）が提供される。【選択図】        図１
2005352584.tif 000002
【特許請求の範囲】
【請求項１】
携帯情報機器から印刷要求を受信する受信手段と、
前記印刷要求を受信するとサーバのアドレス情報を前記携帯情報機器へ送信する送信手段と、
前記携帯情報機器から前記サーバを介して印刷データを受信して印刷処理する印刷手段と
を有することを特徴とする印刷装置。
【請求項２】
前記受信手段及び前記送信手段は、近接無線通信により受信及び送信することを特徴とする請求項１記載の印刷装置。
【請求項３】
前記受信手段及び前記送信手段は、電子メールにより受信及び送信することを特徴とする請求項１記載の印刷装置。
【請求項４】
前記受信手段は、前記携帯情報機器からのアクセスによりＷＥＢを前記携帯情報機器に表示してそのＷＥＢを介して前記携帯情報機器から印刷要求を受信することを特徴とする請求項１記載の印刷装置。
【請求項５】
前記送信手段は、電子メールにより送信することを特徴とする請求項４記載の印刷装置。
【請求項６】
前記送信手段は、返信アドレスとして前記サーバのアドレスを設定した電子メールを送信することを特徴とする請求項５記載の印刷装置。
【請求項７】
前記送信手段は、サーバのアドレス情報及び自己の印刷装置の特定情報を前記携帯情報機器へ送信することを特徴とする請求項１〜６のいずれか１項に記載の印刷装置。
【請求項８】
前記印刷手段は、前記携帯情報機器から前記サーバを介してパスワードを受信し、そのパスワードが入力されると印刷処理することを特徴とする請求項１〜７のいずれか１項に記載の印刷装置。
【請求項９】
携帯情報機器から印刷要求を受信する受信ステップと、
前記印刷要求を受信するとサーバのアドレス情報を前記携帯情報機器へ送信する送信ステップと、
前記携帯情報機器から前記サーバを介して印刷データを受信して印刷処理する印刷ステップと
を有することを特徴とする印刷方法。
【請求項１０】
前記受信ステップ及び前記送信ステップは、近接無線通信により受信及び送信することを特徴とする請求項９記載の印刷方法。
【請求項１１】
前記受信ステップ及び前記送信ステップは、電子メールにより受信及び送信することを特徴とする請求項９記載の印刷方法。
【請求項１２】
前記受信ステップは、前記携帯情報機器からのアクセスによりＷＥＢを前記携帯情報機器に表示してそのＷＥＢを介して前記携帯情報機器から印刷要求を受信することを特徴とする請求項９記載の印刷方法。
【請求項１３】
前記送信ステップは、電子メールにより送信することを特徴とする請求項１２記載の印刷方法。
【請求項１４】
前記送信ステップは、返信アドレスとして前記サーバのアドレスを設定した電子メールを送信することを特徴とする請求項１３記載の印刷方法。
【請求項１５】
請求項９〜１４のいずれか１項に記載の印刷方法の各ステップをコンピュータに実行させるためのプログラム。
【請求項１６】
印刷装置、携帯情報機器及びサーバを含む印刷システムであって、
前記印刷装置は、
前記携帯情報機器から印刷要求を受信する受信手段と、
前記印刷要求を受信すると前記サーバのアドレス情報を前記携帯情報機器へ送信する送信手段と、
前記携帯情報機器から前記サーバを介して印刷データを受信して印刷処理する印刷手段とを有し、
前記携帯情報機器は、
印刷要求を前記印刷装置へ送信する印刷要求送信手段と、
前記サーバのアドレス情報を前記印刷装置から受信する受信手段と、
前記サーバのアドレスへ印刷データを送信する印刷データ送信手段とを有し、
前記サーバは、
前記印刷データを前記携帯情報機器から受信する受信手段と、
前記印刷データを前記印刷装置へ送信する送信手段とを有することを特徴とする印刷システム。
【請求項１７】
前記印刷装置の送信手段は、前記サーバのアドレス情報及び自己の印刷装置の特定情報を前記携帯情報機器を介して前記サーバへ送信し、
前記サーバの送信手段は、前記印刷装置の特定情報に応じて、前記印刷装置のプリンタドライバで印刷データを変換し、前記印刷装置のアドレスへ印刷データを送信することを特徴とする請求項１６記載の印刷システム。
【請求項１８】
前記印刷装置の受信手段及び送信手段は、近接無線通信により受信及び送信することを特徴とする請求項１６又は１７記載の印刷システム。
【請求項１９】
前記印刷装置の受信手段及び送信手段は、電子メールにより受信及び送信することを特徴とする請求項１６又は１７記載の印刷システム。
【請求項２０】
前記印刷装置の受信手段は、前記携帯情報機器からのアクセスによりＷＥＢを前記携帯情報機器に表示してそのＷＥＢを介して前記携帯情報機器から印刷要求を受信することを特徴とする請求項１６又は１７記載の印刷システム。
【発明の詳細な説明】
【技術分野】
【０００１】
本発明は、空港、駅、ホテル、コンビニエンスストアなど街角に設置され、不特定のユーザが外出先で所望の文書データを印刷できる印刷処理に関する。
【背景技術】
【０００２】
下記の特許文献１には、印刷機能を持たない携帯電話を利用した印刷システムが開示されている。アプリケーションサーバは、携帯電話から電子メールを受信し、受信した電子メールを印刷データに変換する。プリンタアダプタは、アプリケーションサーバから通信網を介して印刷データを受信し、受信した印刷データをプリンタが受信できる形式に変換する。プリンタは、プリンタアダプタにより変換された印刷データを印刷する。
【０００３】
【特許文献１】特開２０００−３３９２３７号公報
【発明の開示】
【発明が解決しようとする課題】
【０００４】
しかし、携帯電話がアプリケーションサーバに電子メールを送信するには、アプリケーションサーバの電子メールアドレスが予め分かっていることが前提である。アプリケーションサーバの電子メールアドレスが分からなければ、上記の印刷システムを利用することができない。
【０００５】
本発明の目的は、サーバのアクセス先が予め分かっていなくても、携帯情報機器からサーバを介してパブリックプリンタへ印刷指示する技術を提供することである。
【課題を解決するための手段】
【０００６】
本発明の印刷装置は、携帯情報機器から印刷要求を受信する受信手段と、前記印刷要求を受信するとサーバのアドレス情報を前記携帯情報機器へ送信する送信手段と、前記携帯情報機器から前記サーバを介して印刷データを受信して印刷処理する印刷手段とを有することを特徴とする。
また、本発明の印刷方法は、携帯情報機器から印刷要求を受信する受信ステップと、前記印刷要求を受信するとサーバのアドレス情報を前記携帯情報機器へ送信する送信ステップと、前記携帯情報機器から前記サーバを介して印刷データを受信して印刷処理する印刷ステップとを有することを特徴とする。
また、本発明のプログラムは、上記の印刷方法の各ステップをコンピュータに実行させるためのプログラムである。
また、本発明の印刷システムは、印刷装置、携帯情報機器及びサーバを含む印刷システムであって、前記印刷装置は、前記携帯情報機器から印刷要求を受信する受信手段と、前記印刷要求を受信すると前記サーバのアドレス情報を前記携帯情報機器へ送信する送信手段と、前記携帯情報機器から前記サーバを介して印刷データを受信して印刷処理する印刷手段とを有し、前記携帯情報機器は、印刷要求を前記印刷装置へ送信する印刷要求送信手段と、前記サーバのアドレス情報を前記印刷装置から受信する受信手段と、前記サーバのアドレスへ印刷データを送信する印刷データ送信手段とを有し、前記サーバは、前記印刷データを前記携帯情報機器から受信する受信手段と、前記印刷データを前記印刷装置へ送信する送信手段とを有することを特徴とする。
【発明の効果】
【０００７】
ユーザは、サーバのアクセス先が予め分かっていなくても、携帯情報機器を用いて印刷要求をすれば、サーバのアドレス情報を知ることができ、携帯情報機器からサーバを介して印刷装置へ印刷指示することができる。
【発明を実施するための最良の形態】
【０００８】
（第１の実施形態）
図１は、本発明の第１の実施形態による携帯情報機器ダイレクトパブリックプリントシステムにおけるデータの流れと機能の概要を示す。携帯情報機器１は、例えば高性能携帯電話、ＰＤＡ或いはモバイルＰＣ（パーソナルコンピュータ）等である。パブリックプリンタ（印刷装置）２は、コンビニエンスストア、空港、駅、ホテル、ショー会場などに設置され、インターネットに接続されて、不特定多数の人に使用される。プリントサービスサーバ３は、インターネットに接続し、パブリックプリンタ２へのプリンタプリントサービスをサポートするＰＣ或いはワークステーションから成る。
【０００９】
データの流れと機能の概略を説明する。まず、ステップＳ１０１では、ユーザが携帯情報機器１をパブリックプリンタ２に近付ける。パブリックプリンタ２は、近接通信（ＩｒＤＡ，Ｂｌｕｅｔｏｏｔｈ，ＵＷＢ等）で携帯情報機器１を認識すると、プリントサービスサーバ３に印刷ファイルをアップロードするためのＷＥＢのＵＲＬ（アドレス情報）を携帯情報機器１に送信する。
【００１０】
次に、ステップＳ１０２では、携帯情報機器１がパブリックプリンタ２から受信したＷＥＢのＵＲＬへアクセスし、アップロードで印刷ファイルをプリントサービスサーバ３へ送信する。その際、印刷モードを設定し、パスワードも登録し、プリントサービスサーバ３へ送信する。
【００１１】
次に、ステップＳ１０３では、プリントサービスサーバ３は上記のＵＲＬ（パブリックプリンタ２の特定情報）を基にパブリックプリンタ２のアドレスを特定し、パブリンクプリンタ２の専用プリンタドライバで、アップロードされた印刷ファイルを基に印刷コマンドファイルを生成する。パブリックプリンタ２が複数ある場合には、パブリックプリンタ毎に異なるＵＲＬが設定される。
【００１２】
次に、ステップＳ１０４では、プリントサービスサーバ３は、生成した印刷コマンドファイルと登録されたパスワードをプリンタ２へ送信する。
【００１３】
次に、ステップＳ１０５では、プリンタ２は、印刷コマンドファイル受信後、パスワードの入力を指示する。携帯情報機器１のユーザは、パスワードをプリンタ２に入力する。プリンタ２は、パスワードが正しく入力されたら、印刷コマンドファイルを基に印刷を実行する。
【００１４】
図２は、第１の実施形態におけるパブリックプリンタ２の構成要素を示す。パブリックプリンタ２は、プリンタ本体１１とフィニッシャ１７から成る。プリンタ本体１１は、印刷機能を担当する。フィニッシャ１７は、ソート、ステープル、パンチ、製本などの印刷後の後処理機能を担当する。尚、本実施形態では、プリント機能のみについて言及するため、敢えてプリンタと呼ぶが、現実にコンビニエンスストアに設置されるデバイスはコピー機能とプリント機能を有する所謂複合機（ＭＦＰ（Ｍｕｌｔｉ  Ｆｕｎｃｔｉｏｎ  Ｐｅｒｉｐｈｅｒａｌ））である。以後の実施形態説明の中でも、コピー機能も有するＭＦＰの操作部を例にしていることを断っておく。
【００１５】
プリンタ本体１１には、通信、データ入力、描画などの主たる機能の制御を司る主制御部１２、印刷の実行を制御するエンジン制御部１３、ＬＣＤなどの表示器とハードキー、タッチパネルなどの入力器からなる操作部１４、ＩｒＤＡ，Ｂｌｕｅｔｏｏｔｈ，ＵＷＢ等の無線近接通信により携帯情報機器と通信を行う近接無線通信部１５、印刷の際の料金を回収するコインロボ１６、及びコインロボ１６とプリンタ主制御部１２とのインターフェースを司るコインロボ制御部２６、大容量記憶装置であり多量の印刷データの保存を可能とするハードディスクドライブ（ＨＤＤ）１９を有する。
【００１６】
さらに、プリンタ主制御部１２には、ＣＰＵ２１、ＲＡＭ２２、ＲＯＭ２３、エンジン制御部１３へ出力する印刷データを生成する描画部２４、ネットワークを介して外部デバイスとの情報送受信を行う通信制御部２５、操作部１４との情報の送受信を行う操作部制御部２７を有する。さらに自機でプリントサービスを行う場合に、印刷ファイルから印刷コマンドファイルを生成する機能を担当するインターネット上のプリントサービスサーバ３に、印刷ファイルをアップロードするＷＥＢのＵＲＬを登録するサーバＵＲＬ情報登録部２０を有す。該ＷＥＢ＿ＵＲＬは近接無線通信部１５により、携帯情報機器１に通知される。フィニッシャ１７には印刷結果が混ざらないようオフセットさせる排紙ビン１８がある。
【００１７】
図３は、第１の実施形態における携帯情報機器内のデータの印刷方法についてより詳細に示す。まず、ステップＳ３０１では、ユーザがパブリックプリンタ２の無線近接通信部１５に携帯情報機器１を近接させる。図４のステップＳ４０１において、携帯情報機器１の表示画面４１１のようにユーザは携帯情報機器１のメニューの一つであるプリントアイコンをクリックする。ここで携帯情報機器１とパブリックプリンタ２はＢｌｕｅｔｏｏｔｈ  （無線インターフェースの一種）で通信するとし、携帯情報機器１には予めプリンタ２との情報通信を行う“Ｐｒｉｎｔｅｒプロファイル”がインストールされていて、該プロファイルがプリンタアイコンを表示するものである。
【００１８】
次に、ステップＳ３０２では、携帯情報機器１からパブリックプリンタ２へプリントを行う旨が通知（送信）されると、パブリックプリンタ２は図２のサーバＵＲＬ情報登録部２０に登録された、自機で印刷するためのプリントサーバであるプリントサービスサーバ３の印刷ファイル登録用ＷＥＢのＵＲＬを無線インターフェースで携帯情報機器１に通知（送信）する。例えば、図４のステップＳ４０２において、携帯情報機器１の表示画面４１２には、プリントサービスサーバ３のＵＲＬが表示される。
【００１９】
例えば、ＡＢＣコンビニチェーンのＸＹ店のプリンタ（製品名ｉＲＣ４０００）で印刷するための印刷ファイル登録用ＷＥＢのＵＲＬは、以下のようになる。
HYPERLINK "http://www.abc.co.jp/printservice/xy/irc4000_regist.htm" http://www.abc.co.jp/printservice/xy/irc4000_regist.htm
【００２０】
次に、ステップＳ３０３では、ユーザは例えば携帯電話のｉモード等のインターネット接続サービスを用い、携帯情報機器１から、プリントサービスサーバ３上の該ＵＲＬにアクセスする。ステップＳ３０４では、アップロードにより印刷ファイルの登録を行うために、指定プリンタ印刷データ登録用ＷＥＢを開く。アクセスしたＵＲＬは、上記のように、店名とプリンタ名によるユニークなものであり、プリントサービスサーバ３に対し、プリンタの種類とプリンタ位置に関する情報を通知する機能を持つものである。次に、ステップＳ３０５では、ユーザは、携帯情報機器１を操作して、印刷ファイルを登録ＷＥＢにアップロードする。この時、印刷モード、パスワードも指定する。
【００２１】
ここで、図５に携帯情報機器１とプリントサービスサーバ３との印刷ファイル登録時の携帯情報機器１の表示と操作例を示す。まず、ステップＳ５０１では、表示画面５１１で印刷ファイルの指定要求を行う。次に、ステップＳ５０２では、表示画面５１２で携帯情報機器１内の印刷するファイルを選択する。次に、ステップＳ５０３では、表示画面５１３で印刷モードの指定要求を行う。次に、ステップＳ５０４では、フィニッシング、解像度等の印刷モードと、第三者の印刷物の持ち出しを防ぐため、印刷実行時に入力を要求するパスワードを入力する。ユーザがＯＫボタンを押せば、印刷ファイルは携帯情報機器１からプリントサービスサーバ３へアップロードされる。以上の入力を終えると、携帯情報機器１とプリントサービスサーバ３とは通信を切断できる。
【００２２】
次に、図３のステップＳ３０６では、プリントサービスサーバ３は登録ＷＥＢ＿ＵＲＬで特定されたプリンタドライバを用い、ＷＥＢで登録された印刷モードとパスワード及びユーザがアップロードした印刷ファイルから、パブリックプリンタ２で印刷可能な印刷コマンドファイルを作成する。
【００２３】
次に、ステップＳ３０７では、同じく登録ＷＥＢ＿ＵＲＬでアドレスを特定出来たパブリックプリンタ２へ、該印刷コマンドファイルを転送（送信）する。パブリックプリンタ２においては、図２のＨＤＤ１９に各印刷コマンドファイルを保管し、ユーザからの印刷実行操作を待つ。
【００２４】
次に、ステップＳ３０８では、パブリックプリンタ２は、印刷ファイル名と印刷準備が出来た事、パスワード入力要求を表示する。次に、ステップＳ３０９では、パブリックプリンタ２は、ユーザからのパスワード入力を確認する。次に、ステップＳ３１０では、パブリックプリンタ２は、指定金額をコインロボに投入するように表示する。次に、ステップＳ３１１では、パブリックプリンタ２は、ユーザによりコインが投入されたことを確認する。次に、パブリックプリンタ２は、印刷処理を実行する。
【００２５】
図６は、図３のステップＳ３０８〜Ｓ３１２に対応し、ユーザが印刷物を入手するためのパブリックプリンタ２の操作部１４の表示及び操作例を示す。まず、ステップ６０１では、プリントサービスサーバ３への印刷ファイルの登録を終えたユーザはパブリックプリンタ２に近づき、パブリックプリンタ２の表示画面６１１を参照し、操作部１４により、パブリックプリンタ２をプリントモードに選択する。
【００２６】
次に、ステップＳ６０２では、パブリックプリンタ２はＨＤＤ１９内に送信された印刷コマンドファイルを保管しており、表示画面６１２のようにそのファイル名の一覧を操作部１４に表示する。ユーザは、自分の登録したファイル名を選択する。
【００２７】
次に、ステップＳ６０３では、パブリックプリンタ２は、表示画面６１３のように、ファイル登録時に同時に登録したパスワードの操作部１４からの入力を表示により要求する。
【００２８】
次に、ステップＳ６０４では、パブリックプリンタ２は、正しくパスワードが入力されると、ＲＩＰ（印刷コマンドから印刷画素単位情報を生成すること）を実行し、表示画面６１４のように、ページ数から料金を算出して操作部１４に表示する。ユーザが図２のコインロボ１６に指定料金を投入すると、パブリックプリンタ２は印刷を実行し、ユーザは所望の印刷結果を入手する事が出来る。パブリックプリンタ２は、表示画面６１５のように、印刷が終了した旨を表示する。
【００２９】
以上説明したように、ユーザは、サーバのアクセス先が予め分かっていなくても、携帯情報機器を用いて近接無線通信により印刷要求をすれば、サーバのアドレス情報を知ることができ、携帯情報機器からサーバを介してパブリックプリンタへ印刷指示することができる。
【００３０】
携帯情報機器１とパブリックプリンタ２間で近接無線通信によりデータの送受信が出来る手段を用意し、パブリックプリンタ２から印刷コマンドファイルを生成するプリントサービスサーバ３のＵＲＬを紹介してもらい、該ＵＲＬに印刷ファイルをアップロードして印刷を実行する事で、印刷する当該パブリックプリンタ２の専用ドライバを使用することが出来、より高画質かつ、プリンタ２のフィニッシング機能を最大限活用できる高機能印刷を実施できる。さらに、プリントサービスサーバ３を各プリンタ２が独自に通知する方式のため、アメリカのパブリックプリンタではアメリカのサーバと英語仕様のドライバを使用し、フランスのパブリックプリンタではフランスのサーバとフランス語仕様のドライバが使用できるので、グローバルなプリントサービスが可能になる。
【００３１】
（第２の実施形態）
図７は、本発明の第２の実施形態による携帯情報機器ダイレクトパブリックプリントシステムにおけるデータの流れと機能の概要を示す。携帯情報機器１は、例えば高性能携帯電話、ＰＤＡ或いはモバイルＰＣ等である。パブリックプリンタ５０は、コンビニエンスストア、空港、駅、ホテル、ショー会場などに設置され、インターネットに接続されて、不特定多数の人に使用される。プリントサービスサーバ３は、インターネットに接続し、パブリックプリンタへのプリンタプリントサービスをサポートするＰＣ或いはワークステーションからなる。
【００３２】
データの流れと機能の概略を説明する。まず、ステップＳ７０１では、携帯情報機器１が指定の印刷要求のサブジェクト表記でパブリックプリンタ５０に電子メール（Ｅｍａｉｌ）を送信する。パブリックプリンタ５０には、パブリックプリンタ５０の電子メールアドレスが表示されている。ユーザは、携帯情報機器１を用いて、その電子メールアドレスを入力して、パブリックプリンタ５０に上記の電子メールを送信する。パブリックプリンタ５０は、その電子メールを受信すると、プリントサービスサーバ３に印刷ファイルをアップロードするための電子メールアドレスと題名の表記情報を携帯情報機器１に返信する。
【００３３】
次に、ステップＳ７０２では、携帯情報機器１がパブリックプリンタ５０から受信した電子メールアドレスとサブジェクト表記情報を使用して、印刷ファイルをメール添付により、プリントサービスサーバ３へ送信する。その際、題名にパスワードを追記して、電子メールを送信する。
【００３４】
次に、ステップＳ７０３では、プリントサービスサーバ３は受信した電子メール題名情報（パブリックプリンタ５０の特定情報）からパブリックプリンタ５０のアドレスを特定し、パブリンクプリンタ５０の専用プリンタドライバを用いて、携帯情報機器１の印刷ファイルから印刷コマンドファイルを生成する。
【００３５】
次に、ステップＳ７０４では、プリントサービスサーバ３は、生成した印刷コマンドファイルと、ユーザが電子メールの題名に追記したパスワードをプリンタ５０へ送信する。
【００３６】
次に、ステップＳ７０５では、印刷コマンドファイル受信後、パスワードの入力を指示する。ユーザがプリンタ５０へ正しいパスワードを入力すると、プリンタ５０は印刷処理を実行する。
【００３７】
図８は、第２の実施形態におけるパブリックプリンタ５０の構成要素を示す。図中第１の実施形態において説明済みの構成要素に関しては同じ番号を付与しており、説明は省略するものとする。パブリックプリンタ５０はプリンタ本体５１とフィニッシャ１７から成る。プリンタ本体５１には主制御部１２、エンジン制御部１３、操作部１４、コインロボ１６、コインロボ制御部２６、ＨＤＤ１９を有する。
【００３８】
サーバアドレス情報登録部５２は、自機でプリントサービスを行う場合に、印刷ファイルから印刷コマンドファイルを生成する機能を担当するインターネット上のプリントサービスサーバ３に、印刷ファイルを送付するための電子メール（以下、Ｅｍａｉｌという）アドレス情報を格納する。プリントサービスヘルプＥｍａｉｌ生成部５３は、携帯情報機器１から、定められた題名のＥｍａｉｌを受信すると、プリントサービスサーバ３への印刷ファイルの登録方法を記したＥｍａｉｌである“プリントサービスヘルプＥｍａｉｌ”を携帯情報機器１に返信する機能を持つ。Ｅｍａｉｌアドレス表示手段５４は、“ユーザがパブリックプリンタ５０で印刷するにはこのＥｍａｉｌアドレスにＥｍａｉｌ送信すればよい”旨を表示する。
【００３９】
図９は、Ｅｍａｉｌアドレス表示手段５４の例を示す。Ｅｍａｉｌアドレス表示手段５４は、プリンタ５０の電子メールアドレス及び指定の題名（（Ｓｕｂｊｅｃｔ）を表示する。携帯情報機器１を用いて、「題名（Ｓｕｂｊｅｃｔ）：ＰＲＩＮＴ」で表示されたパブリックプリンタ５０のＥｍａｉｌアドレスにＥａｍｉｌを送ると、パブリックプリンタ５０はプリントサービスヘルプＥｍａｉｌ生成部５３によりユーザの携帯情報機器１にヘルプＥｍａｉｌを返信する。
【００４０】
図１０を参照して、第２の実施形態における携帯情報機器内のデータの印刷方法についてより詳細に説明する。
【００４１】
まず、ステップＳ１００１では、ユーザは印刷を行うため、パブリックプリンタ５０に近づき、図９のＥｍａｉｌアドレス表示手段５４の表記を読み取り、携帯情報機器１を用いて「ＳＵＢ：ＰＲＩＮＴ」としてパブリックプリンタ５０の指定アドレスへ電子メールを送信する。
【００４２】
次に、ステップＳ１００２では、「ＳＵＢ：ＰＲＩＮＴ」のＥｍａｉｌを受信したパブリックプリンタ５０は、ユーザがプリントサービスを所望していると認識し、プリントサービスサーバ３へ印刷ファイルを登録するための方法を記したプリントサービスヘルプＥｍａｉｌを携帯情報機器１に返信する。
【００４３】
その具体例を、図１１を参照しながら説明する。まず、ステップＳ１１０１では、携帯情報機器１は、表示部１１１１に表示されるように、パブリックプリンタ５０から電子メールを受信する。次に、ステップＳ１１０２では、携帯情報機器１は、表示部１１１２に表示されるように、プリントサービスサーバ３のＥｍａｉｌアドレス及び定型メール題名がパブリックプリンタ５０から電子メールにより通知される。また、題名に印刷実行時のパスワードを入力することが指示される。このプリントサービスヘルプＥｍａｉｌの内容は、少なくとも以下の情報を有する。
【００４４】
（１）プリントサービスサーバ３のＥｍａｉｌアドレス
（２）パブリックプリンタ５０を特定するためのサブジェクト表記
（３）印刷ファイルを添付すること
（４）定められた桁数のパスワードをサブジェクトに追記する旨の情報
【００４５】
ユーザは、この情報を基に印刷ファイルをプリントサービスサーバ３へ送信するためのメール“印刷ファイル送付用Ｅｍａｉｌ”を携帯情報機器１で作成する。
【００４６】
図１０のステップＳ１００３では、携帯情報機器１は、印刷ファイルを、通知されたサブジェクトの添付ファイルとして、通知されたプリントサービスサーバ３のアドレス宛てにＥｍａｉｌを送信する。その際、サブジェクト（Ｓｕｂｊｅｃｔ）にパスワードを追記する。
【００４７】
例えば、図１１の電子メール１１２１に示すように、ＡＢＣコンビニチェーンの日本のＸＹ店のプリンタ（例えば製品名ｉＲＣ４０００）で印刷ファイル「report.pdf」を印刷するための印刷ファイル送付用Ｅｍａｉｌは、以下のようになる。
【００４８】
Address:PS003@abc.co.jp
Subject：ABCPrint_Service,xy,iRC4000,123456
Attached：report.pdf
【００４９】
また、図１１の電子メール１１２２に示すように、米国ＶＷ店のプリンタ（例えば製品名：ｉＲＣ４０００−ＰＳ）で印刷ファイル「report.pdf」を印刷するための印刷ファイル送付用Ｅｍａｉｌは、以下のようになる。
【００５０】
Address:PS103@abc.com
Subject：ABCPrint_Service,VW,iRC4000-PS,123456
Attached：report.pdf
【００５１】
図１０のステップＳ１００４では、携帯情報機器１からの印刷ファイル送付用Ｅｍａｉｌと添付の印刷ファイルを受信したプリントサービスサーバ３は、Ｅｍａｉｌのサブジェクト情報から指定されたプリンタドライバを用い、サブジェクト情報に追記されたパスワード及びユーザが添付した印刷ファイルから、パブリックプリンタ５０で印刷可能な印刷コマンドファイルを生成する。
【００５２】
次に、ステップＳ１００５では、プリントサービスサーバ３は、サブジェクト情報で特定出来たパブリックプリンタ５０へのアドレスへ、該印刷コマンドファイルを転送する。
【００５３】
次に、ステップＳ１００６では、パブリックプリンタ５０は、印刷コマンドファイルを受信し、図８のＨＤＤ１９に印刷コマンドファイルを保管し、ユーザからの印刷実行操作を待つ。パブリックプリンタ５０は、印刷ファイル名と印刷準備が出来た事を表示し、パスワード入力要求を表示する。
【００５４】
次に、ステップＳ１００７では、パブリックプリンタ５０は、携帯情報機器１のユーザからのパスワード入力を受け付け、パスワードを確認する。次に、ステップＳ１００８では、パブリックプリンタ５０は、指定金額をコインロボ１６へ投入するように表示する。次に、ステップＳ１００９では、パブリックプリンタ５０は、携帯情報機器１のユーザからのコイン投入を受け付け、投入金額を確認する。次に、パブリックプリンタ５０は、印刷処理を実行する。
【００５５】
図１２により、図１０のステップＳ１００６〜Ｓ１０１０に対応し、ユーザが印刷物を入手するためのパブリックプリンタ５０の操作部１４への操作例について説明する。
【００５６】
まず、ステップＳ１２０１では、パブリックプリンタ５０は、表示画面１２１１を表示する。プリントサービスサーバ３への印刷ファイルのＥｍａｉｌ添付送信を終えたユーザは、パブリックプリンタ５０に近づき、操作部１４により、パブリックプリンタ５０をプリントモードに選択する。
【００５７】
次に、ステップＳ１２０２では、パブリックプリンタ５０は、ＨＤＤ１９内に送信された印刷コマンドファイルを保管しており、表示画面１２１２に示すようにそのファイル名の一覧を操作部１４に表示する。
【００５８】
次に、ステップＳ１２０３では、パブリックプリンタ５０は、ユーザが自分の登録したファイル名を選択すると、サーバ３へのＥｍａｉｌ送信時、サブジェクトに追記したパスワードを操作部１４に入力するように通知する表示画面１２１３を表示する。
【００５９】
次に、ステップＳ１２０４では、パブリックプリンタ５０は、正しくパスワードが入力されるとＲＩＰを実行し、ページ数から料金を算出して操作部１４に表示画面１２１４を表示する。ユーザが図８のコインロボ１６に指定料金を投入すると、パブリックプリンタ５０は印刷を実行し、ユーザは所望の印刷結果を入手する事が出来る。その後、パブリックプリンタ５０は、表示画面１２１５に示すように、印刷が終了した旨を表示する。
【００６０】
以上説明したように、ユーザは、サーバのアクセス先が予め分かっていなくても、携帯情報機器を用いてＥｍａｉｌで印刷要求をすれば、サーバのアドレス情報を知ることができ、携帯情報機器からサーバを介してパブリックプリンタへ印刷指示することができる。
【００６１】
携帯情報機器からの特定サブジェクトのＥｍａｉｌを受信するとプリントサービスサーバを紹介するＥｍａｉｌを該携帯情報機器に返信する機能をパブリックプリンタが有し、プリントサービスサーバはユーザの携帯情報機器からの印刷ファイル添付Ｅｍａｉｌのサブジェクト情報から印刷に使用するパブリックプリンタのアドレスと種類を特定できる機能を有する事で、印刷する当該パブリックプリンタの専用ドライバを使用することが出来、より高画質な印刷を実現できる。さらに世界中の国籍に関わらず展開可能なプリントサービスを提供できる。また第１の実施形態と異なり本実施形態では携帯情報機器にパブリックプリンタとの近接通信手段及びＷＥＢアクセス機能が無くとも実現可能であり、携帯情報機器の機能に左右されないと言う利点と、一度当該サービスを利用したユーザは次回以降、パブリックプリンタに近接しなくとも遠隔地から印刷ファイルの送付が可能になるという利点がある。
【００６２】
（第３の実施形態）
図１３は、本発明の第３の実施形態による携帯情報機器ダイレクトパブリックプリントシステムにおけるデータの流れと機能の概要を示す。携帯情報機器１は、高性能携帯電話、ＰＤＡ或いはモバイルＰＣ等である。パブリックプリンタ６０は、コンビニエンスストア、空港、駅、ホテル、ショー会場などに設置され、インターネットに接続されて、不特定多数の人に使用される。プリントサービスサーバ３は、インターネットに接続し、パブリックプリンタ６０へのプリンタプリントサービスをサポートするＰＣ或いはワークステーションからなる。パブリックプリンタ６０は、内部にＷＥＢサーバを有し、携帯情報機器１からのＷＥＢ（ホームページ）アクセスを受け付け、プリントサービス、ステータス表示サービス、ジョブログの表示サービス等のWEBサービスを提供する。
【００６３】
データの流れと機能の概略を説明する。まず、ステップＳ１３０１では、携帯情報機器１は、パブリックプリンタ６０が提供するＷＥＢサービスにアクセスし、所望の印刷モードとパスワードを設定することで印刷要求を行う。次に、ステップＳ１３０２では、パブリックプリンタ６０は、返信アドレス（Ｒｅｐｌｙ  Ａｄｄｒｅｓｓ）としてプリントサービスサーバ３のメールアドレスが設定されたＥｍａｉｌを携帯情報機器１に送信する。そのＥｍａｉｌは、サブジェクト（ヘッダ部）に各種設定した印刷モード情報及びプリンタアドレス等が記載されている。次に、ステップＳ１３０３では、携帯情報機器１のユーザは、印刷したいファイルを前記Ｅｍａｉｌに添付して、返信（Ｒｅｐｌｙ）すると、当該Ｅｍａｉｌは携帯情報機器１からプリントサービスサーバ３に送信される。次に、ステップＳ１３０４では、プリントサービスサーバ３は、受け取ったＥｍａｉｌのサブジェクト情報からパブリックプリンタ６０のアドレス、及びプリンタドライバを特定し、ユーザ指定の印刷モード及びパスワードを読み取り、添付された印刷ファイルから印刷コマンドファイルを生成してパブリックプリンタ６０へ送信する。次に、ステップS１３０５では、パブリックプリンタ６０は、印刷コマンドファイル受信後、パスワードの入力をユーザに対して要求し、正しく入力されたら印刷処理を実行する。
【００６４】
図１４により、第３の実施形態におけるパブリックプリンタ６０の構成要素について説明する。図中前述の実施形態において説明済みの構成要素に関しては同じ番号を付与しており、説明は省略するものとする。パブリックプリンタ６０は、プリンタ本体６１とフィニッシャ１７から成る。プリンタ本体６１は、主制御部１２、エンジン制御部１３、操作部１４、コインロボ１６、コインロボ制御部２６、ＨＤＤ１９を有する。
【００６５】
また、サーバアドレス情報登録部６２は、自機でプリントを行う場合に、印刷ファイルから印刷コマンドファイルを生成する機能を担当するインターネット上のプリントサービスサーバ３に、印刷ファイルを送付するためのＥｍａｉｌアドレス情報を格納する。ＪＡＶＡ（登録商標）  ＷＥＢサービス制御部６３は、携帯情報機器１から所定ＵＲＬでパブリックプリンタ６０にアクセスすると内蔵ＷＥＢを携帯情報機器１に表示させ、パブリックプリンタ６０のステータス表示及び、携帯情報機器１からの様々なデータ入力を可能とする。プリントサービスＥｍａｉｌ生成部６４は、携帯情報機器１からＷＥＢサービスにより入力されたプリントサービスにおける各種印刷モード情報を、携帯情報機器１を介して、プリントサービスサーバ３に送信するためのＥｍａｉｌを生成する。ＷＥＢサービスＵＲＬ表示手段６５は、“ユーザがパブリックプリンタ６０で印刷するには、パブリックプリンタ６０のＷＥＢにアクセスする”旨を表示する。
【００６６】
図１５に、ＷＥＢサービスＵＲＬ表示手段の表示例を示す。例えば、ＡＢＣコンビニチェーンのＸＹ店のプリンタ（製品名ＩＲＣ４０００）のＷＥＢへのアクセスＵＲＬは、以下のように表示される。ユーザは、そのＵＲＬにアクセスして各種印刷モードを設定する。
http://www.abc.co.jp/printservice/xy/irc4000/RemoteUI.htm
【００６７】
図１６を用いて、第３の実施形態における携帯情報機器内の印刷したいファイルの印刷方法についてより詳細に説明する。
【００６８】
まず、ステップＳ１６０１では、ユーザは印刷を行うため、パブリックプリンタ６０に近づき、図１５のＷＥＢサービスＵＲＬ表示手段６６の表記を読み取り、携帯情報機器１から該ＵＲＬにアクセスする。
【００６９】
次に、ステップＳ１６０２では、パブリックプリンタ６０は、ＷＥＢを表示して、携帯情報機器１からの印刷の際の印刷モードを受信する。
【００７０】
次に、ステップＳ１６０３では、ユーザは携帯情報機器１からＷＥＢを介してパブリックプリンタ６０に印刷モードとパスワードを入力する。
【００７１】
次に、ステップＳ１６０４では、パブリックプリンタ６０は、印刷ファイルをサーバ３へ送信するＥｍａｉｌを返信アドレスとしてプリントサーバ３のアドレスを設定する。
【００７２】
次に、ステップＳ１６０５では、パブリックプリンタ６０は、サブジェクト部にプリンタ６０と印刷モードの各パラメータを設定したプリントサービスＥｍａｉｌを携帯情報機器１に送信する。
【００７３】
次に、ステップＳ１６０６では、携帯情報機器１は、プリンタ６０からのプリントサービスＥｍａｉｌに印刷ファイルを添付して返信すると、プリントサービスサーバ３へＥｍａｉｌが送信される。
【００７４】
図１７は、図１６のステップＳ１６０１〜Ｓ１６０５に対応し、携帯情報機器１の表示例及び操作例を示す。まず、ステップＳ１７０１では、表示画面１７１１のように携帯情報機器１の表示部にパブリックプリンタ６０のＷＥＢが表示される。“プリントサービス”、“プリンタステータス”“ジョブログ”などのメニューがあるが、プリントを行いたいユーザは“プリントサービス”を選択する。
【００７５】
次に、ステップＳ１７０２では、表示画面１７１２に示すように、“印刷モード選択”ページに表示が切り替わり、ユーザはステープル指定、Ｎ−ＵＰ指定、両面印刷指定、解像度指定、複数部印刷指定等の印刷モードを入力出来、最後に印刷実行用のパスワードを入力する。
【００７６】
次に、ステップＳ１７０３では、印刷モードの選択が終了すると、表示画面１７１４に示すように、パブリックプリントの方法についてガイドが表示される。ここでは、“パブリックプリンタから届くメールに、印刷したいファイルを添付してリプライすれば良い“と表示されている。ユーザがＯＫキーを押すと、ステップＳ１７１４では、パブリックプリンタ６０からＥｍａｉｌが届き、表示画面１７１４が表示される。
【００７７】
続いて、図１８によりパブリックプリンタから届くＥｍａｉｌの内容について説明する。携帯情報機器１の表示画面１８１１には、パブリックプリンタ６０から受信したＥｍａｉｌの以下の内容が表示される。
【００７８】
「Ｔｏ：」は、携帯情報機器１のアドレスである。「Ｆｒｏｍ：」は、パブリックプリンタ６０のアドレスである。「Ｒｅｐｌｙ  Ｔｏ：」は、パブリックプリンタ６０が指定したプリントサービスサーバ３のアドレスである。「Ｓｕｂｊｅｃｔ：」は、パブリックプリンタ６０のＩＤとユーザが指定した各種印刷モード及びパスワードを定められた文法に則り記述した印刷条件情報である。この印刷条件は、例えば、２ＵＰ、両面、ステープル、高画質印刷、パスワードが指定されている。
【００７９】
ユーザは、このメールに対して、携帯情報機器１において返信動作を行い、印刷したいファイルを添付ファイルとして指定する。携帯情報機器１の表示画面１８１２に表示されるように、返信メールは以下の内容を有する。ユーザは、携帯情報機器１を用いて印刷ファイル「Album.doc」を添付してプリントサービスサーバ３へＥｍａｉｌを返信する（Ｓ１６０６）。
【００８０】
「Ｔｏ：」は、プリントサービスサーバ３のアドレスである。「Ｆｒｏｍ：」は、携帯情報機器１のアドレスである。「Ｓｕｂｊｅｃｔ：」は、パブリックプリンタ６０のＩＤとユーザが指定した各種印刷モード及びパスワードを定められた文法に則り記述した印刷条件情報である。「Ａｔｔａｃｈｅｄ：」は、印刷するファイルとしての添付ファイルである。
【００８１】
再び、図１６に戻り、ステップＳ１６０７では、携帯情報機器１から印刷ファイル送付用Ｅｍａｉｌと添付の印刷ファイルを受信したプリントサービスサーバ３は、Ｅｍａｉｌのサブジェクト情報に記述されたパブリックプリンタＩＤから指定されるプリンタドライバを用い、サブジェクト情報に記述された各種印刷モード指定とパスワード及び添付された印刷ファイルから、パブリックプリンタ６０で印刷可能な印刷コマンドファイルを作成し、ステップＳ１６０８では、サブジェクト情報に記述されたパブリックプリンタ６０のアドレスへ、該印刷コマンドファイルを転送する。この時、サブジェクト情報に記述したパスワードを用いてセキュアプリントとして扱う。パブリックプリンタ６０においては、図１４のＨＤＤ１９に各印刷コマンドファイルを保管し、ユーザからの印刷実行操作を待つ。
【００８２】
次に、ステップＳ１６０９では、パブリックプリンタ６０は、印刷ファイル名と印刷準備が出来た事を表示し、パスワードを入力すべきことを表示する。次に、ステップＳ１６１０では、パブリックプリンタ６０は、携帯情報機器１のユーザからのパスワード入力を受け付け、パスワードを確認する。次に、ステップＳ１６１１では、指定金額をコインロボ１６に投入するように表示する。次に、ステップＳ１６１２では、パブリックプリンタ６０は、携帯情報機器１のユーザからのコイン投入を受け付け、投入金額を確認する。次に、ステップＳ１６１３では、パブリックプリンタ６０は、印刷処理を実行する。
【００８３】
ここで、図１９により、図１６のステップＳ１６０９〜Ｓ１６１３に対応し、ユーザが印刷物を入手するためのパブリックプリンタ６０の操作部１４への表示例及び操作例について説明する。
【００８４】
ステップＳ１９０１では、パブリックプリンタ６０は、表示画面１９１１を表示する。プリントサービスサーバ３への印刷ファイルのＥｍａｉｌ添付送信を終えたユーザは、パブリックプリンタ６０に近づき、操作部１４により、パブリックプリンタ６０をプリントモードに選択する。
【００８５】
次に、ステップＳ１９０２では、パブリックプリンタ６０は、ＨＤＤ１９内に送信された印刷コマンドファイルを保管しており、そのファイル名の一覧を表示画面１９１２として操作部１４に表示する。
【００８６】
次に、ステップＳ１９０３では、パブリックプリンタ６０は、ユーザが自分の登録したファイル名を選択すると、サーバ３へのＥｍａｉｌ送信時、サブジェクトに追記したパスワードを入力するように表示画面１９１３を操作部１４に表示する。セキュアプリントであるため、ユーザがＷＥＢで入力したパスワードを入力しないとＲＩＰは開始されない。
【００８７】
次に、ステップＳ１９０４では、正しくパスワードが入力されると、パブリックプリンタ６０はＲＩＰを実行し、ページ数から料金を算出して表示画面１９１４を操作部１４に表示する。ユーザがコインロボに指定金額を投入しないと、印刷を開始しない。
【００８８】
ユーザが図１４のコインロボ１６に指定料金を投入すると、パブリックプリンタ６０は印刷を実行し、ユーザは所望の印刷結果を入手する事が出来る。パブリックプリンタ６０は、表示画面１９０５に印刷が終了した旨を表示する。
【００８９】
以上説明したように、ユーザは、サーバのアクセス先が予め分かっていなくても、携帯情報機器を用いてＷＥＢを介して印刷要求をすれば、サーバのアドレス情報を知ることができ、携帯情報機器からサーバを介してパブリックプリンタへ印刷指示することができる。
【００９０】
携帯情報機器からパブリックプリンタのＷＥＢにアクセスし、プリントサービス時の印刷モード指定と、パスワードの登録が可能な機能と、サブジェクト欄に自機のアドレス情報、指定された印刷モード情報、パスワード情報を記述し、リプライアドレスとして自機に印刷するためのプリントサービスサーバのアドレスを記述したＥｍａｉｌ（印刷ファイル送信用Ｅｍａｉｌ）を前記携帯情報機器に送信できる機能をパブリックプリンタが有し、ユーザが前記印刷ファイル送信用Ｅｍａｉｌに印刷ファイルを添付してリプライすると、プリントサービスサーバは前記印刷ファイル送信用Ｅｍａｉｌのサブジェクト情報から、印刷に使用するパブリックプリンタのアドレスと種類、及び印刷モードを特定できる機能を有することにより、ユーザは携帯情報機器内のファイルを事前にプリントサービスサーバにアップロードしなくても、またプリントサービスの契約及び登録を行っていなくとも、街角のパブリックプリンタを用いて印刷することが出来、かつ個々のパブリックプリンタのＷＥＢサービスを使用することで、パブリックプリンタの製品固有の各種印刷モード設定が自由に利用でき、高画質及び高機能な印刷を行うことが可能となる。
【００９１】
さらにプリンタがプリントサービスサーバを個別に紹介してくれる事から世界中の国籍に関わらず展開可能なプリントサービスを提供できる。また第１の実施形態と異なり本実施形態では携帯情報機器にパブリックプリンタとの近接通信手段が無くとも実現可能であり、現状のインフラで容易に実現可能と言う利点と、一度当該サービスを利用したユーザは次回以降、パブリックプリンタに近接しなくとも遠隔地から印刷ファイルの送付が可能になるという利点がある。
【００９２】
次に、図２を参照しながら、パブリックプリンタ２のコンピュータがプログラムを実行することにより、上記の第１の実施形態の処理を実現する方法を説明する。
【００９３】
ＲＯＭ２３には、予めＣＰＵ２１の制御手順（コンピュータプログラム）を記憶させておき、このコンピュータプログラムをＣＰＵ２１が実行することにより、起動する。ＨＤＤ１９にコンピュータプログラムが記憶されており、そのコンピュータプログラムがＲＡＭ２２にコピーされて実行される。ＲＡＭ２２は、データの入出力、送受信のためのワークメモリ、各構成要素の制御のための一時記憶として用いられる。ＣＰＵ２１は、ＲＡＭ２２内のコンピュータプログラムを実行することにより、上記の第１の実施形態の処理等を行う。
【００９４】
上記の第２及び第３の実施形態も、第１の実施形態と同様に、パブリックプリンタのコンピュータがプログラムを実行することにより実現することができる。また、携帯情報機器１及びプリントサービスサーバ３も、パブリックプリンタ２のコンピュータ部と同様の構成を有し、プログラムを実行することにより、第１〜第３の実施形態の処理を実現することができる。
【００９５】
第１〜第３の実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９６】
以上説明したように、第１〜第３の実施形態によれば、パブリックプリンタは、携帯情報機器から印刷要求を受信すると、サーバのアドレス情報を携帯情報機器へ送信し、携帯情報機器からサーバを介して印刷データを受信すると印刷処理する。
【００９７】
ユーザは携帯情報機器内のファイルを事前にプリントサービスサーバにアップロードしなくても、またプリントサービスの契約及び登録を行っていなくとも、プリントサービスサーバのアドレス情報を受け取り、街角のパブリックプリンタを用いて印刷することが出来、かつパブリックプリンタの製品固有プリンタドライバの使用を指定できる事で、共通プリンタドライバを使用するよりも高画質及び高機能な印刷を行うことが可能、という効果がある。
【００９８】
パブリックプリンタ（印刷装置）は、自機のプリントサービスを司るプリントサービスサーバでの印刷ＪＯＢ受付に関する特定情報を予め登録する手段と、該印刷ＪＯＢ受付に関する特定情報を印刷サービスを希望するユーザの携帯情報機器に送信する手段と、印刷を実行する際にはパスワードの操作部からの入力を要求し、規定時間内に前記パスワードが入力されない場合は印刷を中止する手段を有する。
【００９９】
プリントサービスサーバは、携帯情報機器から、前記印刷ＪＯＢ受付に関する特定情報に則って、印刷ファイル、印刷モード、パスワード、印刷装置アドレス、印刷装置プリンタドライバ指定の各情報を入手できる。プリントサービスサーバが、指定された印刷装置プリンタドライバを用いて、前記印刷ファイルから印刷コマンドファイルを作成し、インターネットを通じて、印刷装置に該印刷コマンドファイルを送信する。
【０１００】
即ち、印刷装置本体が自らのプリンティングサービスを司るプリントサービスサーバとプリンタドライバの特定情報をユーザに通知し、ユーザは該サーバ及びドライバ特定情報に従って、携帯情報機器内の印刷所望ファイルを転送する事により、プリントサービスサーバ及びプリンタの面倒な選択をすることなく、該印刷所望ファイルの印刷を実行する事が可能となる。
【０１０１】
さらに、付加機能として、印刷装置に、携帯情報機器からインターネット経由でアクセス可能なＷＥＢサービスを用いて、各種印刷モード及び、プリントサービス実行に必要なパスワードを入力すると、携帯情報機器に該印刷モード情報とパスワードと自機のＩＤ及びアドレス情報を、プリントサービスサーバへ転送するためにパッケージングしたＥｍａｉｌを生成し、ユーザの携帯情報機器へ送信する。
【０１０２】
これにより、使用するパブリックプリンタの固有機能であるフィニッシング機能、高画質印刷機能を携帯情報機器からの印刷において容易に設定可能なユーザインタフェースをユーザに提供でき、プリントサービスサーバ、プリントドライバの指定も携帯情報機器上で非常に簡易に設定することが出来、従来の手法では実現できなかった複雑な印刷モードの設定と印刷の実行を、携帯情報機器の操作のみによって実現できる。
【０１０３】
印刷装置から送信されたＥｍａｉｌのサブジェクト欄或いはＥｍａｉｌ本文欄にユーザが登録した印刷モード設定情報、パスワード及び印刷装置のドライバ特定情報、アドレス情報が記述されている。リプライアドレスにサーバのアドレス情報が記述されている。ユーザが該Ｅｍａｉｌに対して印刷ファイルを添付して返信動作を行うと自動的にサーバへ印刷ファイルと印刷モード情報、パスワード情報、印刷装置ドライバ特定情報、印刷装置アドレス情報がＥｍａｉｌにて送信される。
【０１０４】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【０１０５】
【図１】第１の実施形態のシステム機能説明図である。
【図２】第１の実施形態のパブリックプリンタブロック図である。
【図３】第１の実施形態のデータ遷移図である。
【図４】第１の実施形態の携帯情報機器表示部表示例を示す図である。
【図５】第１の実施形態の携帯情報機器表示部表示例を示す図である。
【図６】第１の実施形態の印刷実行時のプリンタ操作部表示例を示す図である。
【図７】第２の実施形態のシステム機能説明図を示す図である。
【図８】第２の実施形態のパブリックプリンタブロック図である。
【図９】第２の実施形態の電子メールアドレス表示手段例を示す図である。
【図１０】第２の実施形態のデータ遷移図である。
【図１１】第２の実施形態の携帯情報機器表示部表示例を示す図である。
【図１２】第２の実施形態の印刷実行時のプリンタ操作部表示例を示す図である。
【図１３】第３の実施形態のシステム機能説明図である。
【図１４】第３の実施形態のパブリックプリンタブロック図である。
【図１５】第３の実施形態のＷＥＢサービスＵＲＬ表示手段例を示す図である。
【図１６】第３の実施形態のデータ遷移図を示す図である。
【図１７】第３の実施形態の携帯情報機器表示部表示例を示す図である。
【図１８】第３の実施形態の携帯情報機器表示部表示例を示す図である。
【図１９】第３の実施形態の印刷実行時のプリンタ操作部表示例を示す図である。
【符号の説明】
【０１０６】
１      携帯情報機器
２、５０，６０  パブリックプリンタ
３      プリントサービスサーバ
４      ネットワーク
１１，５１，６１  パブリックプリンタ本体
１２    プリンタ主制御部
１３    エンジン制御部
１４    操作部
１５    近接無線通信部
１６    コインロボ
１７    フィニッシャ
１８    排紙ビン
１９    ＨＤＤ
２０    サーバＵＲＬ情報登録部
２１    ＣＰＵ
２２    ＲＡＭ
２３    ＲＯＭ
２４    描画部
２５    通信制御部
２６    コインロボ制御部
２７    操作部制御部
５２、６２  サーバアドレス情報登録部
５３    プリントサービスヘルプＥｍａｉｌ生成部
５４    Ｅｍａｉｌアドレス表示手段
６３    ＷＥＢサービスＵＩ制御部
６４    プリントサービスＥｍａｉｌ生成部
６５    ＷＥＢサービスＵＲＬ表示手段
【図１】
2005352584.tif 000003
【図２】
2005352584.tif 000004
【図３】
2005352584.tif 000005
【図４】
2005352584.tif 000006
【図５】
2005352584.tif 000007
【図６】
2005352584.tif 000008
【図７】
2005352584.tif 000009
【図８】
2005352584.tif 000010
【図９】
2005352584.tif 000011
【図１０】
2005352584.tif 000012
【図１１】
2005352584.tif 000013
【図１２】
2005352584.tif 000014
【図１３】
2005352584.tif 000015
【図１４】
2005352584.tif 000016
【図１５】
2005352584.tif 000017
【図１６】
2005352584.tif 000018
【図１７】
2005352584.tif 000019
【図１８】
2005352584.tif 000020
【図１９】
2005352584.tif 000021